Podtech/llm-jp-corpus-v4-ja_patent huggingface dataset:
【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
電極を捲回した扁平形電極群と、
前記扁平形電極群を収容する缶体と、
前記缶体を封止する蓋と、
前記蓋に設けられた外部端子と、
前記電極と前記外部端子とを接続する集電体とを備え、
前記扁平形電極群の捲回軸方向両端部において、前記電極の積層部は、前記扁平形電極群の厚み方向中心側から前記缶体の外方に向かって２つの束状電極接続部に分離され、
前記集電体は、
前記分離した２つの束状電極接続部に設けられた電極接合面に接合される集電体接合面を有する主板と、前記主板から前記缶体の外方に向かって屈曲して延在するリブ板とを有する一対の接合板と、
前記蓋の内面に沿う取付板と、
前記取付板の側部から屈曲して前記缶体の底面に向かって延在する一対の接続板と、
前記一対の接続板のそれぞれと、前記一対の接合板のそれぞれとを結合する一対の結合板とを備え、
前記一対の結合板のそれぞれは、前記一対の接続板のそれぞれにおける前記缶体底面側の一端から、前記扁平形電極群の厚み方向中心に向かうように傾斜しつつ、かつ、前記缶体の底面に向かって延在し、前記一対の接合板のそれぞれにおける前記蓋側の一端と結合されていることを特徴とする二次電池。
【請求項２】
請求項１に記載の二次電池において、
前記結合板は、３つの屈曲辺を有する結合面を備え、第１屈曲辺で前記接続板の一端と連続し、第２屈曲辺および第３屈曲辺で前記接合板の主板およびリブ板のそれぞれと連続していることを特徴とする二次電池。
【請求項３】
請求項２に記載の二次電池において、
前記結合面側の前記主板とリブ板との境界は、第４屈曲辺とされ、
前記第２、第３および第４屈曲辺のそれぞれが、前記接続板から前記扁平形電極群の厚み方向中心側に所定距離だけ離れ、かつ、前記接続板の一端から前記缶体の底面側に所定距離だけ離れた点で交差し、前記第２、第３および第４屈曲辺によって側面視でＹ字状を呈していることを特徴とする二次電池。
【請求項４】
請求項２または３に記載の二次電池において、
前記第１屈曲辺は、前記扁平形電極群の捲回軸方向と所定角度をなすように設けられ、
前記集電体に設けられる一対の結合板のそれぞれにおける第１屈曲辺は、前記一対の結合板のそれぞれにおける第１屈曲辺同士が側面視で交差するように設けられていることを特徴とする二次電池。
【請求項５】
請求項１ないし４のいずれか１項に記載の二次電池において、
前記集電体における前記缶体の底面側の端部に、前記主板と前記リブ板とを結合する補強板が設けられていることを特徴とする二次電池。
【請求項６】
請求項１ないし５のいずれか１項に記載の二次電池において、
前記集電体は、接続板の他端側で前記外部端子と接続されていることを特徴とする二次電池。
【手続補正２】
【補正対象書類名】明細書
【補正対象項目名】００１０
【補正方法】変更
【補正の内容】
【００１０】
請求項１に係る発明は、電極を捲回した扁平形電極群と、扁平形電極群を収容する缶体と、缶体を封止する蓋と、蓋に設けられた外部端子と、電極と外部端子とを接続する集電体とを備え、扁平形電極群の捲回軸方向両端部において、電極の積層部は、扁平形電極群の厚み方向中心側から缶体の外方に向かって２つの束状電極接続部に分離され、集電体は、分離した２つの束状電極接続部に設けられた電極接合面に接合される集電体接合面を有する主板と、主板から缶体の外方に向かって屈曲して延在するリブ板とを有する一対の接合板と、蓋の内面に沿う取付板と、取付板の側部から屈曲して缶体の底面に向かって延在する一対の接続板と、一対の接続板のそれぞれと、一対の接合板のそれぞれとを結合する一対の結合板とを備え、一対の結合板のそれぞれは、一対の接続板のそれぞれにおける缶体底面側の一端から、扁平形電極群の厚み方向中心に向かうように傾斜しつつ、かつ、缶体の底面に向かって延在し、一対の接合板のそれぞれにおける蓋側の一端と結合されていることを特徴とする二次電池である。
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
装置であって、
センサ積層体と、
前記センサ積層体の対向する側に位置決めされる第１および第２のシールドと、
前記第１のシールドに隣接し、前記第１のシールドにバイアス磁界を印加する第１のシールド安定化構造とを備える、装置。
【請求項２】
前記第１のシールド安定化構造は第１の磁性層に隣接する第１の反強磁性層を備える、請求項１に記載の装置。
【請求項３】
第１の非磁性層によって前記第１の磁性層から分離されて第１の合成反強磁性構造を形成する第２の磁性層をさらに備える、請求項２に記載の装置。
【請求項４】
前記第１の磁性層と前記第２の磁性層との間で磁気モーメントのバランスをとる、請求項３に記載の装置。
【請求項５】
前記第２のシールドに隣接し、前記第２のシールドにバイアス磁界を印加する第２のシールド安定化構造をさらに備える、請求項１〜４のいずれか１項に記載の装置。
【請求項６】
前記第２のシールド安定化構造は第１の磁性層に隣接する第１の反強磁性体を備える、請求項５に記載の装置。
【請求項７】
第１の非磁性層によって前記第１の磁性層から分離されて第１の合成反強磁性構造を形成する第２の磁性層をさらに備える、請求項６に記載の装置。
【請求項８】
前記第１のシールド安定化構造は前記第１のシールドの一部に隣接して位置決めされる、請求項１〜７のいずれか１項に記載の装置。
【請求項９】
前記第１の安定化構造の幅および奥行きは前記センサ積層体の幅および奥行き以上である、請求項１〜８のいずれか１項に記載の装置。
【請求項１０】
前記第１の安定化構造の前記幅は前記第１の安定化構造の前記奥行きよりも大きい、請求項９に記載の装置。
【請求項１１】
装置であって、
データ記憶媒体と、
センサ積層体、前記センサ積層体の対向する側に位置決めされる第１および第２のシールド、ならびに前記第１のシールドに隣接し、前記第１のシールドにバイアス磁界を印加する第１のシールド安定化構造を含む記録ヘッドと、
前記データ記憶媒体に隣接して前記記録ヘッドを位置決めするためのアームとを備える、装置。
【請求項１２】
前記第１のシールド安定化構造は第１の磁性層に隣接する第１の反強磁性体を備える、請求項１１に記載の装置。
【請求項１３】
第１の非磁性層によって前記第１の磁性層から分離されて第１の合成反強磁性構造を形成する第２の磁性層をさらに備える、請求項１２に記載の装置。
【請求項１４】
前記第１の磁性層と前記第２の磁性層との間で磁気モーメントのバランスをとる、請求項１３に記載の装置。
【請求項１５】
方法であって、
センサ積層体と、前記センサ積層体の対向する側に位置決めされる第１および第２のシールドと、前記第１のシールドに隣接し、前記第１のシールドにバイアス磁界を印加する第１のシールド安定化構造とを含むセンサ構造を設けるステップと、
前記センサ積層体のアニール温度よりも低い第１の温度で前記構造をアニールして前記シールド安定化構造の磁化の方向を設定するステップとを備える、方法。
【請求項１６】
前記第１のシールド安定化構造は第１の磁性層に隣接する第１の反強磁性層を備え、前記第１の温度は前記第１の反強磁性層の反強磁性ブロッキング温度よりも高い、請求項１５に記載の方法。
【請求項１７】
前記センサ構造は、前記第２のシールドに隣接し、前記第２のシールドにバイアス磁界を印加する第２のシールド安定化構造を含み、前記第１のシールド安定化構造は第１の磁性層に隣接する第１の反強磁性層を備え、前記第２のシールド安定化構造は第２の磁性層に隣接する第２の反強磁性層を備え、前記第１の温度は前記第１および第２の反強磁性層の反強磁性ブロッキング温度よりも高い、請求項１５または１６に記載の方法。
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
装置であって、
光を生成し、能動領域、前記能動領域の第１の側に隣接して位置決めされた第１の反射器、前記能動領域の第２の側に隣接して位置決めされた拡張共振器、および光の第１の部分を前記拡張共振器に反射しかつ光の第２の部分を透過する第２の反射器を有する拡張共振器垂直共振器面発光レーザと、
前記拡張共振器垂直共振器面発光レーザに隣接して位置決めされた平面導波路と、
前記拡張共振器垂直共振器面発光レーザからの光の第２の部分を前記導波路に結合するように構成された水平結合器と、を備える、装置。
【請求項２】
前記水平結合器は角のあるブレーズド回折格子を含む、請求項１に記載の装置。
【請求項３】
前記拡張共振器は透明なスタンドオフを含む、請求項１または２に記載の装置。
【請求項４】
前記拡張共振器は、前記透明なスタンドオフと前記第２のミラーとの間に間隙を含む、請求項３に記載の装置。
【請求項５】
前記間隙は透明材料で充填される、請求項４に記載の装置。
【請求項６】
前記水平結合器上に光を合焦させるレンズを前記拡張共振器内にさらに備える、請求項１〜５のいずれか１項に記載の装置。
【請求項７】
前記水平結合器は傾斜したミラーを含む、請求項６に記載の装置。
【請求項８】
前記拡張共振器垂直共振器面発光レーザは、硬化可能な導電性接着剤を用いて前記導波路に搭載され、前記接着剤を硬化させる前に性能パラメータを最大化するように前記導波路と位置合せされる、請求項１〜７のいずれか１項に記載の装置。
【請求項９】
装置であって、
光を生成し、能動領域、前記能動領域の第１の側に隣接して位置決めされた第１の反射器、および前記能動領域の第２の側に隣接して位置決めされた拡張共振器を有する拡張共振器垂直共振器面発光レーザと、
平面導波路と、
前記導波路に、かつ前記導波路から前記能動領域に向けて光を結合するように構成された水平結合器と、
前記導波路内に位置決めされ、光の第１の部分を前記水平結合器に向けて反射し、かつ光の第２の部分を透過する第２の反射器と、を備える、装置。
【請求項１０】
前記第２の反射器は分布型ブラッグ反射器を含む、請求項９に記載の装置。
【請求項１１】
前記水平結合器は角のあるブレーズド回折格子を含む、請求項９または１０に記載の装置。
【請求項１２】
前記拡張共振器は透明なスタンドオフを含む、請求項９〜１１のいずれか１項に記載の装置。
【請求項１３】
前記拡張共振器は、前記透明なスタンドオフと前記第２のミラーとの間に間隙を含む、請求項１２に記載の装置。
【請求項１４】
前記間隙は透明材料で充填される、請求項１３に記載の装置。
【請求項１５】
前記拡張共振器の第１のバイアおよび第２のバイアを介して前記能動領域に電気的に接続される第１の電気接点および第２の電気接点をさらに備える、請求項９〜１４のいずれか１項に記載の装置。
【請求項１６】
前記拡張共振器垂直共振器面発光レーザは、硬化可能な導電性接着剤を用いて共振器導波路に搭載され、共振器接着剤を硬化させる前に共振器導波路と位置合せされる、請求項９〜１５のいずれか１項に記載の装置。
【請求項１７】
装置であって、
記憶媒体と、
記録ヘッドと、
前記記録ヘッドを前記記憶媒体に隣接して位置決めするためのアームとを備え、
前記記録ヘッドは、光を生成し、能動領域、前記能動領域の第１の側に隣接して位置決めされた第１の反射器、前記能動領域の第２の側に隣接して位置決めされた拡張共振器、および光の第１の部分を前記拡張共振器に反射しかつ光の第２の部分を透過する第２の反射器を有する拡張共振器垂直共振器面発光レーザと、平面導波路と、光の第２の部分を前記導波路に結合するように構成された水平結合器とを含むトランスデューサアセンブリを含む、装置。
【請求項１８】
前記水平結合器は角のあるブレーズド回折格子を含む、請求項１７に記載の装置。
【請求項１９】
前記第２のミラーは複数の層を含む、請求項１７または１８に記載の装置。
【請求項２０】
前記第２のミラーは分布型ブラッグ反射器を含む、請求項１７〜１９のいずれか１項に記載の装置。
【手続補正書】
【提出日】平成25年11月7日(2013.11.7)
【手続補正１】
【補正対象書類名】明細書
【補正対象項目名】０００４
【補正方法】変更
【補正の内容】
【０００４】
実施形態の提供商品確認装置は、登録部と、撮像部と、認識部と、報知部と、を備える。前記登録部は、売上登録キーにより売上登録が指示された商品の売上登録を行う。前記撮像部は、登録部による売上登録対象の商品を撮像可能に設置されかつ所定のフレームレートで撮像を行う。前記認識部は、前記撮像部により撮像した撮像画像に含まれる商品の画像から、商品を認識する。前記報知部は、前記登録部により売上登録が行われた商品が、前記認識部により認識された商品と一致するか否かの確認結果を報知する。
【手続補正２】
【補正対象書類名】特許請求の範囲
【補正対象項目名】全文
【補正方法】変更
【補正の内容】
【特許請求の範囲】
【請求項１】
売上登録キーにより売上登録が指示された商品の売上登録を行う登録部と、
前記登録部による売上登録対象の商品を撮像可能に設置されかつ所定のフレームレートで撮像を行う撮像部と、
前記撮像部により撮像された撮像画像に含まれる商品の画像から、商品を認識する認識部と、
前記登録部により売上登録が行われた商品が、前記認識部により認識された商品と一致するか否かの確認結果を報知する報知部と、
を備えた提供商品確認装置。
【請求項２】
商品に関わる商品情報と、当該商品情報に対応する商品の商品画像と、を対応付けて記憶する記憶部を備え、
前記認識部は、前記記憶部に記憶された商品画像と、前記撮像画像に含まれる商品の画像と、の類似度を算出するとともに、前記記憶部から、前記撮像画像に含まれる商品の画像との類似度が予め設定された閾値より高い商品画像と対応付けて記憶された商品情報を読み出し、
前記報知部は、前記登録部により売上登録が行われた商品と、読み出された前記商品情報に対応する商品とが一致するか否かの前記確認結果を報知する請求項１に記載の提供商品確認装置。
【請求項３】
前記報知部は、前記登録部により売上登録が行われた商品が、前記認識部により認識された商品と一致しない場合、前記認識部により認識された商品の提供の禁止を前記確認結果として報知する請求項１または２に記載の提供商品確認装置。
【請求項４】
前記報知部は、前記登録部により売上登録が行われた商品が、前記認識部により認識された商品と一致した場合、前記認識部により認識された商品の提供の許可を前記表示部に表示して、前記確認結果として報知する請求項１から３のいずれか一に記載の提供商品確認装置。
【請求項５】
前記報知部は、前記登録部により売上登録が行われた商品が、前記認識部により認識された商品と一致しない場合、前記認識部により認識された商品のうち、前記登録部により売上登録が行われた商品と異なる商品に関わる情報を報知する請求項１から４のいずれか一に記載の提供商品確認装置。
【請求項６】
前記記憶部は、複数の商品の組み合わせからなるセット商品に関わる前記商品情報を記憶する請求項２に記載の提供商品確認装置。
【請求項７】
コンピュータを、
売上登録キーにより売上登録が指示された商品の売上登録を行う登録部と、
前記登録部による売上登録対象の商品を撮像可能に設置されかつ所定のフレームレートで撮像を行う撮像部から、当該撮像部により撮像された撮像画像を取り込む取込部と、
前記取込部により取り込まれた前記撮像画像に含まれる商品の画像から、商品を認識する認識部と、
前記登録部により売上登録が行われた商品が、前記認識部により認識された商品と一致するか否かの確認結果を報知する報知部と、
として機能させるためのプログラム。
【請求項８】
提供商品確認装置で実行される提供商品確認方法であって、
売上登録キーにより売上登録が指示された商品の売上登録を行う過程と、
売上登録対象の商品を所定のフレームレートで撮像する過程と、
撮像した撮像画像に含まれる商品の画像から、商品を認識する過程と、
売上登録が行われた商品が、認識された商品と一致するか否かの確認結果を報知する過程と、
を有する提供商品確認方法。
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
上部シート、
下部シート、
上部シートと下部シートとがシールされる第１シーリング部、及び、
上記第１シーリング部の一部又は全部に接着される第２シーリング部を有し、
上記第２シーリング部は上記第１シーリング部の外部に位置することを特徴とするパウチ。
【請求項２】
上記第２シーリング部は、少なくとも一面が電気絶縁性を有する物質で塗布されるアルミニウム金属箔テープ、又は、アルミニウム金属箔テープで形成されていることを特徴とする請求項１に記載のパウチ。
【請求項３】
上記電気絶縁性を有する物質は、ポリオレフィン系高分子、ポリエステル系高分子、およびナイロンの中から選ばれることを特徴とする請求項２に記載のパウチ。
【請求項４】
上記第２シーリング部の厚さは０.１〜４００μｍであることを特徴とする請求項１から３のいずれか１項に記載のパウチ。
【請求項５】
上記第２シーリング部は、電極タブが配置される領域を除いた部位に形成されることを特徴とする請求項１から４のいずれか１項に記載のパウチ。
【請求項６】
上記電極タブは同じ方向に形成されることを特徴とする請求項５に記載のパウチ。
【請求項７】
上記電極タブは互いに異なる方向に形成されることを特徴とする請求項５に記載のパウチ。
【請求項８】
上記第２シーリング部が上記第１シーリング部の一部に形成される場合、上記第２シーリング部は、上記第１シーリング部の端部面から形成されることを特徴とする請求項１に記載のパウチ。
【請求項９】
上記上部シートおよび上記下部シートは、それぞれ内部層、金属層および外部層が順次積層されて構成されることを特徴とする請求項１から８のいずれか１項に記載のパウチ。
【請求項１０】
上記第２シーリング部は上記第１シーリング部の外部で上記第１シーリング部の一部又は全部を包囲することを特徴とする請求項１に記載のパウチ。
【請求項１１】
上記第２シーリング部は上記第１シーリング部の外側断面に形成されることを特徴とする請求項１に記載のパウチ。
【請求項１２】
請求項１から１１のいずれか１項に記載のパウチを用いた二次電池。
【請求項１３】
上記二次電池はリチウム二次電池であることを特徴とする請求項１２に記載の二次電池。
【手続補正書】
【提出日】平成25年8月7日(2013.8.7)
【手続補正１】
【補正対象書類名】明細書
【補正対象項目名】発明の名称
【補正方法】変更
【補正の内容】
【発明の名称】表示装置及び電子機器
【手続補正２】
【補正対象書類名】特許請求の範囲
【補正対象項目名】全文
【補正方法】変更
【補正の内容】
【特許請求の範囲】
【請求項１】
表示パネルと、タッチパネルユニットと、を有し、
前記表示パネルは、トランジスタと、表示素子と、を有し、
前記トランジスタは、酸化物半導体を有し、
前記トランジスタのソース又はドレインの一方は、前記表示素子と電気的に接続され、
前記トランジスタのオフ電流は、前記表示素子の第１の電極と前記表示素子の第２の電極との間の電流よりも小さい値を有することを特徴とする表示装置。
【請求項２】
表示パネルを有し、
前記表示パネルは、タッチパネル機能を有し、
前記表示パネルは、トランジスタと、表示素子と、を有し、
前記トランジスタは、酸化物半導体を有し、
前記トランジスタのソース又はドレインの一方は、前記表示素子と電気的に接続され、
前記トランジスタのオフ電流は、前記表示素子の第１の電極と前記表示素子の第２の電極との間の電流よりも小さい値を有することを特徴とする表示装置。
【請求項３】
請求項１において、
前記タッチパネルユニットには、静電容量方式が用いられることを特徴とする表示装置。
【請求項４】
請求項１乃至請求項３のいずれか一項に記載の表示装置と、
操作ボタン、筐体、スピーカー又はアンテナと、を有することを特徴とする電子機器。
【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
人又は動物のような検査対象における心房性細動を検出する方法（１００）であって、
所定の期間にわたって監視装置から患者のプレチスモグラフ波形（３００）を取得する段階（１１０，１２０）と、
前記プレチスモグラフ波形（３００）から一つのパルスを抽出する段階（１２５）と、
前記プレチスモグラフ波形（３００）から一組のパルス間隔を測定する段階（１３０）と、
前記プレチスモグラフ波形（３００）から一組の特徴部を測定する段階（１３５）と、
前記プレチスモグラフ波形（３００）からの前記一組のパルス間隔及び前記一組のパルス特徴部を分析して、前記患者の心房性細動状態を決定する段階（１４０）と、
前記プレチスモグラフ波形（３００）からの前記パルスを分析する段階（１４５）と、
前記プレチスモグラフ波形（３００）からの前記パルスを分析する段階が、
平均心拍数増加及び平均心拍数変動の分析（３２５）を行う段階と、
前記患者のＮＩＢＰパルス（３３５）を取得し分析する段階と、
前記患者の一組の医療記録（３４５）を取得し分析する段階と、
前記平均心拍数増加及び前記平均心拍数変動の分析（３２５）とを含み、前記ＮＩＢＰパルス分析と、前記医療記録分析とを組み合わせ、その結果から、前記心房性細動状態を確認する、方法（１００）。
【請求項２】
前記監視装置はパルス・オキシメータ・センサである、請求項１記載の方法。
【請求項３】
前記一組の特徴部の１つは一組のパルス振幅（４１０）である、請求項１記載の方法。
【請求項４】
更に、前記プレチスモグラフ波形（３００）からの前記一組のパルス間隔及び前記一組のパルス特徴部を分析して、前記患者の心房性細動傾向を検出する段階と、前記心房性細動傾向及び状態（３７０，３８０）を報告する段階とを含んでいる請求項１記載の方法。
【請求項５】
前記一組のパルス間隔を分析する段階は、前記一組のパルス間隔について隠れマルコフ・モデル分析（３３０）を行い且つ前記一組のパルス間隔についてコンテクスト分析（３４０）を行う段階を含んでおり、前記隠れマルコフ・モデル分析は、患者が不規則な心拍リズムを持つ確率を決定し、また前記コンテクスト分析（３４０）は心房性細動を不規則な心拍リズムの源から除外する、請求項１記載の方法。
【請求項６】
前記一組のパルス特徴部を分析する段階は、一組のパルス振幅の各々の相次ぐものの間の振幅変動（３６０）を算出する段階を含み、前記心房性細動状態の決定がパルス振幅変動（３６０）の分析に依存する、請求項１記載の方法。
【請求項７】
一組のパルス振幅を分析する段階が、前記一組のパルス振幅についての一組の充填時間動態を決定する段階を含み、更に、前記一組のパルス振幅を分析する段階及び前記一組の充填時間動態を決定する段階は、存在する心房増強度（３５０）の表示を与える、請求項１記載の方法。
【請求項８】
前記パルス分析段階は、前記患者の前記心房性細動状態（３７０）を決定することに寄与する、請求項１記載の方法。
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
標識付き造影剤及び磁気共鳴撮像（ＭＲＩ）スキャナ（１３０）を用いた撮像のための方法（２００）であって、
標識付き造影剤を対象に投与する前に、前記標識付き造影剤の共鳴周波数と実質的に同じになるように選択した共鳴周波数で前記対象上で事前スキャンを実行する工程（２１０）と、
前記対象（１４０）に対する標識付き造影剤の投与の実質的に直後に、該標識付き造影剤の共鳴周波数において検査スキャンを実行する工程（２４０）と、
前記対象の画像を取得して、関心対象代謝領域を特徴付ける工程と、
を含む方法（２００）。
【請求項２】
検査スキャンの実行前の事前スキャンに基づいてＭＲＩスキャナ（１３０）の送信パワーを調整する工程（２２０）をさらに含む請求項１に記載の方法。
【請求項３】
前記標識付き造影剤は、注入に適した標識付き、過分極性、または標識付きで過分極性の撮像用薬剤のうちの１つを含む、請求項１に記載の方法。
【請求項４】
前記標識付き造影剤は13Ｃを含む、請求項３に記載の方法。
【請求項５】
前記事前スキャンの周波数は23Ｎａに関する共鳴周波数となるように選択される、請求項１に記載の方法。
【請求項６】
前記送信パワーは、事前スキャン及び検査スキャンのそれぞれの周波数に同調させた無線周波数コイルを利用することによって調整される、請求項２に記載の方法。
【請求項７】
前記検査スキャンは、関心領域内の代謝濃度の定量化のために実行される、請求項３に記載の方法。
【請求項８】
前記ＭＲＩスキャナは、２つの関心対象周波数において動作するように適応させた無線周波数（ＲＦ）コイル（３００）を備えており、その第１の周波数が事前スキャン周波数でありかつその第２の周波数が検査周波数であり、該コイルはデュアル同調式または切り替え同調式のいずれかとなるように適応させている、請求項１に記載の方法。
【請求項９】
磁気共鳴撮像（ＭＲＩ）スキャナ（１３０）を用いた撮像のための方法（２００）であって、
標識付き造影剤を対象に投与する前に、ＭＲＩスキャナを所与の対象向けに較正するために標識付き造影剤の共鳴周波数と異なるが実質的には同じ共鳴周波数で前記対象上で事前スキャンを実行する工程（２１０）と、
前記標識付き造影剤を前記対象に投与した実質的に直後に、該標識付き造影剤に対応する共鳴周波数で検査スキャンを実行する工程（２４０）と、
前記対象の画像を取得して、関心対象代謝領域を特徴付ける工程と、
を含む方法。
【請求項１０】
磁気共鳴撮像（ＭＲＩ）スキャナを用いた撮像のためのシステムであって、
選択した標識付き造影剤の共鳴周波数に対応する周波数及び事前スキャン周波数において同調可能な無線周波数コイル（３００）を備えており、
標識付き造影剤を対象に投与する前に、前記ＭＲＩスキャナ（１３０）は事前スキャン周波数において事前スキャンを実行して該ＭＲＩスキャナを較正するように構成されており、
前記ＭＲＩスキャナはさらに、標識付き造影剤を対象に投与した実質的に直後に、該標識付き造影剤共鳴周波数で検査スキャンを実行するように構成されており、
前記ＭＲＩスキャナは、前記検査スキャンから前記対象の画像を取得して、関心対象代謝領域を特徴付けるように構成されている、
システム。
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
被撮像体（２５）の心臓の関心領域（３１２）の図解を形成するシステム（２０）であって、
前記心臓の関心領域（３１２）の複数の取得画像（３１４、３１６）を形成するように動作可能なイメージング・システム（２８）と、
該イメージング・システム（２８）と連絡しており、メモリ（６５）に記憶された複数のプログラム命令を実行するように動作可能なプロセッサ（６０）を含む制御器（５０）と
を備えており、前記複数のプログラム命令は、
前記心臓の関心領域（２８）の前記複数の取得画像（３１４、３１６）から三次元モデル（３４２）を生成する動作と、
前記心臓の関心領域（２８）の前記複数の取得画像（３１４、３１６）の１又は複数から少なくとも１個の機能パラメータの複数の値を測定する動作と、
前記心臓の関心領域（２８）の前記三次元モデル（３４２）に空間的に関連させて前記少なくとも１個の機能パラメータの前記複数の値の空間的関係のマップ（３６５）を生成する動作と、
前記心臓の関心領域（２８）に繋がる血管構造の三次元モデル（３５２）を生成する動作と、
前記心臓の関心領域（２８）の前記三次元モデル、前記少なくとも１個の機能パラメータの前記複数の値の前記マップ（３６５）、及び前記血管構造の前記三次元モデル（３５２）を、共通の座標系（３２６）に対して相対的に互いに空間的に関連させて結合することを含む出力画像（３６２）を形成する動作と
を表わしており、
前記血管構造の前記三次元モデル（３５２）を生成する前記動作は、前記複数の取得画像（３１４、３１６）の１又は複数において血管構造を識別することを含んでおり、前記血管構造の前記三次元モデル（３５２）は、前記心臓の関心領域（２８）の前記三次元モデル（３４２）から独立である、システム（２０）。
【請求項２】
前記心臓の関心領域（２８）の心筋（３２５）を画定する心内膜外形線（３２２）又は心外膜外形線（３２４）を識別する動作と、
前記心筋（３２５）の少なくとも１個の機能パラメータの値を算出する動作と
を表わすプログラム命令をさらに含んでいる請求項１に記載のシステム（２０）。
【請求項３】
前記少なくとも１個の機能パラメータは前記心筋（３２５）の厚みを含んでおり、前記パラメータは、前記心内膜外形線（３２２）と前記心外膜外形線（３２４）との間の距離として算出される、請求項２に記載のシステム（２０）。
【請求項４】
前記少なくとも１個の機能パラメータは前記心筋（３２５）の運動振幅（３３４）を含んでおり、該運動振幅を測定する動作は、前記心臓の関心領域（２８）の心収縮相時に取得された前記複数の画像の第一のもの（３１４）において突き止められた心内膜外形線（３２２）と、前記心臓の関心領域（２８）の心拡張相時に取得された前記複数の画像の第二のもの（３１６）において突き止められた心内膜外形線（３２２）との間の距離を検出することを含んでいる、請求項２に記載のシステム（２０）。
【請求項５】
前記少なくとも１個の機能パラメータは前記心筋（３２５）の密度を含んでおり、該心筋の密度を測定する動作は、前記心臓の関心領域（２８）の前記複数の取得画像の１又は複数において図解されるときの前記心内膜外形線（３２２）と前記心外膜外形線（３２４）との間のピクセルの濃淡値を検出することを含んでいる、請求項２に記載のシステム（２０）。
【請求項６】
前記心臓の関心領域（２８）の前記三次元モデル（３４２）を生成する前記動作は、前記心臓の関心領域（２８）の三次元ボリューム・レンダリング像を形成するように前記複数の取得画像にレイ・トレーシング手法を適用することを含んでいる、請求項１に記載のシステム（２０）。
【請求項７】
前記複数の取得画像（３１４、３１６）は、計算機式断層写真法撮像システムにより収集される、請求項１に記載のシステム（２０）。
【請求項８】
前記血管構造の前記三次元モデル（３５２）は、前記心臓の関心領域（２８）に繋がる冠動脈の像を含んでいる、請求項１に記載のシステム（２０）。
【請求項９】
前記マップは、前記心臓の関心領域（２８）の前記三次元モデル（３４２）に空間的に関連させて前記機能パラメータの所与の範囲の値を表わす異なる色帯を含んでいる、請求項１に記載のシステム（２０）。
【請求項１０】
被撮像体（２５）の心臓の関心領域（２８）の図解を形成する方法（３００）であって、
前記心臓の関心領域（２８）の複数の取得画像（３１４、３１６）から三次元モデル（３４２）を生成する動作と、
前記心臓の関心領域（２８）の前記複数の取得画像の１又は複数から少なくとも１個の機能パラメータの複数の値を測定する動作と、
前記心臓の関心領域（２８）の前記三次元モデル（３４２）に空間的に関連させて前記少なくとも１個の機能パラメータの前記複数の値の空間的関係のマップを生成する動作と、
前記心臓の関心領域（２８）に繋がる血管構造の三次元モデル（３５２）を生成する動作と、
前記心臓の関心領域（２８）の前記三次元モデル（３４２）、前記少なくとも１個の機能パラメータの前記複数の値の前記マップ、及び前記血管構造の前記三次元モデル（３５２）を、共通の座標系（３２６）に対して相対的に互いに空間的に関連させて結合することを含む出力画像（３６２）を形成する動作と
を備え、
前記血管構造の前記三次元モデル（３５２）を生成する前記動作は、前記複数の取得画像（３１４、３１６）の１又は複数において血管構造を識別することを含んでおり、前記血管構造の前記三次元モデル（３５２）は、前記心臓の関心領域（２８）の前記三次元モデル（３４２）から独立である、方法。
【手続補正書】
【提出日】平成25年3月1日(2013.3.1)
【手続補正１】
【補正対象書類名】明細書
【補正対象項目名】００３１
【補正方法】変更
【補正の内容】
【００３１】
特に、トレイ排出装置１０のシステム全体を構成する個々の構成要素、特にトレイ操作補助具１３、トレイ１１及びトレイ排出マガジン１４は、例えば置換部品、交換部品、スタンドアロン構成要素等として単独でも使用可能である。
【手続補正２】
【補正対象書類名】特許請求の範囲
【補正対象項目名】請求項６
【補正方法】変更
【補正の内容】
【請求項６】
フレーム（２５）が、少なくとも一方の幅の広い側（２４）に、シャッタ（２６）を導入するための導入口（３０）を備えること、を特徴とする請求項１〜５のいずれか１つに記載のトレイ操作補助具。
【手続補正３】
【補正対象書類名】特許請求の範囲
【補正対象項目名】請求項７
【補正方法】変更
【補正の内容】
【請求項７】
シャッタ（２６）が、フレーム（２５）内に導入された位置で、フレーム（２５）の導入口（３０）の側に、操作及び／又はロック機構（３５）を備え、これにより、操作及び／又はロック機構（３５）が、トレイ（１１）に蓋（２２）を装着した時に、後壁（２０）とは反対の側に位置すること、を特徴とする請求項６に記載のトレイ操作補助具。
【手続補正４】
【補正対象書類名】特許請求の範囲
【補正対象項目名】請求項１２
【補正方法】変更
【補正の内容】
【請求項１２】
キャリッジ（４６）が、両ガイド（４４，４５）を互いに結合するキャリヤ（４８）であり、このキャリヤの横又は上に、キャリッジ（４６）にシャッタ（２６）を連結するための少なくとも１つの連結要素（４９）が配設されており、キャリッジ（４６）が、シャッタ（２６）に対する連結状態及び連結解除状態で、垂直に、排出すべきトレイ（１１）の後壁（２０）に対して接近運動及び離間運動可能であること、を特徴とする請求項１１に記載のトレイ排出マガジン。
【手続補正５】
【補正対象書類名】特許請求の範囲
【補正対象項目名】請求項１５
【補正方法】変更
【補正の内容】
【請求項１５】
棒状の物品で充填されたトレイ（１１）を供給するための供給装置（１２）と、トレイ排出マガジン（１４）と、供給装置（１２）の上又は下に配設された、排出されたトレイ（１１）を搬出するための搬出装置（１５）と、物品で充填されたトレイ（１１）を供給装置（１２）からトレイ排出マガジン（１４）の領域に搬送可能にし、排出されたトレイ（１１）をトレイ排出マガジン（１４）から搬出装置（１５）の領域に搬出可能にする引渡し装置（５４）とを有する、請求項８又は９に記載の、棒状の物品で充填されたトレイ（１１）を排出するためのトレイ排出装置（１０）において、
トレイ排出マガジン（１４）が、請求項１０〜１４のいずれか１つに従って形成されていること、を特徴とするトレイ排出装置。
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
連続する画像を取り込むための画像取込装置であって、
前記画像取込装置は複数の画素を備える活性領域を有するセンサーを含み、
各画素はその画素の露出を表すデータを提供し、また、前記活性領域は前記画素からのデータを記憶するためのデータ記憶装置を有し、
前記画素が複数の画素サブセットと複数の画素群を備え、
前記画素群は実質的に前記センサーの全活性領域の画素を覆い、また、各画素群は各画素サブセットから少なくとも1つの画素を有し、
前記画像取込装置は前記画素サブセットの露出を制御する制御装置を含み、
前記制御装置は実質的に、時間的に隔てられた低解像度の画像を複数獲得するために前記画素サブセットを露出し、
前記低解像度の画像はそれぞれ異なる画素サブセットの前記データを含み、
また、すべての画素が露出された後、前記画像取込装置はデジタルデータのセットを提供するために、すべての前記画素の電荷をデジタル化し、前記デジタルデータを前記データ記憶装置に転送することを特徴とする画像取込装置。
【請求項２】
実質的に同時に各画素サブセットの内の前記画素を露出する、請求項１に記載の画像取込装置。
【請求項３】
少なくとも１つの画素サブセットが、実質的に前記センサーの全活性領域の画素を含む、請求項１に記載の画像取込装置。
【請求項４】
前記制御装置が獲得された低解像度画像のフレームレートと空間解像度を調節する、請求項１に記載の画像取込装置。
【請求項５】
前記制御装置が、画素のフルセットが画素サブセットに分割される数を制御する、請求項４に記載の画像取込装置。
【請求項６】
前記制御装置が前記画素サブセットの露出のタイミングを制御する、請求項４に記載の画像取込装置。
【請求項７】
前記データ記憶装置が、拡張された動画像列を獲得するために、1回以上のデータ獲得工程を繰り返す請求項１に記載の画像取込装置。
【請求項８】
さらに、複数のシャッター部材を有するシャッターアレイを備え、各シャッター部材は個々の画素の露出を制御するためのものである請求項１に記載の画像取込装置。
【請求項９】
前記シャッター部材は不透過率が変動することを特徴とする請求項８に記載の画像取込装置。
【請求項１０】
前記シャッター部材は反射率が変動することを特徴とする請求項８に記載の画像取込装置。
【請求項１１】
前記シャッターアレイは前記センサーの前記活性領域上に取り付けられている請求項９に記載の画像取込装置。
【請求項１２】
前記シャッターアレイは前記センサーの前に取り付けられている請求項９に記載の画像取込装置。
【請求項１３】
前記シャッター部材は配向性が変動する請求項８に記載の画像取込装置。
【請求項１４】
前記シャッター部材はミラーを有し、前記ミラーは光を前記センサーに向ける方向に、または、前記センサーから離れた方向に反射するよう配向できる請求項１３に記載の画像取込装置。
【請求項１５】
さらに前記シャッターアレイの作動を制御するための制御装置を有する請求項８に記載の画像取込装置。
【請求項１６】
前記制御装置は、所定のランダムまたは擬似ランダムの順序でシャッター部材を活性化する請求項１５に記載の画像取込装置。
【請求項１７】
各画素は、電荷が前記画素から転送されうる電荷貯蔵デバイスに関連付けられ、前記複数の時間的に隔てられた低解像度の画像を獲得できるように電荷の転送を制御するための制御装置を有する請求項１に記載の画像取込装置。
【請求項１８】
前記画像取込装置は、全ての前記画素からのデータを用いた高解像度の画像を取り込むよう構成および配置され、前記高解像度の画像は実質的に前記フル画素セットと同等の解像度を有することを特徴とする請求項１に記載の画像取込装置。
【請求項１９】
請求項１に記載の画像取込装置と、前記センサー上の前記活性領域内に光の焦点を合わせるレンズとを有するカメラ。
【請求項２０】
さらに、獲得画像を表示するための表示装置を有し、前記表示装置が、単一の高解像度の画像または一連の低解像度の画像を表示する請求項１９に記載のカメラ。
【請求項２１】
前記画素サブセットの露出を制御するための制御装置を有する請求項１９に記載のカメラ。
【請求項２２】
複数の画素を有する活性領域を持つセンサーを備えた画像取込装置を用いて連続する画像を獲得する方法であって、前記方法は、
センサーを露出させる工程と、
各画素の露出を表すデータを記憶する工程と、
時間的に隔てられた低解像度の画像を複数個獲得する工程を含み、
前記画素が、複数の画素サブセットと複数の画素群を有し、前記画素群は実質的に前記センサーの全活性領域を覆っており、各画素群は各画素サブセットの少なくとも1つの画素を有し、
前記センサーの露出は、前記画素サブセットを順次露出することを含み、各低解像度画像は前記画素サブセットのうちの異なる1つの画素サブセットからのデータを備え、
すべての前記画素サブセットが露出された後、すべての前記画素への前記電荷はデジタルデータのセットを提供するためにデジタル化され、前記デジタルデータは前記データ記憶装置に転送されることを含む方法。
【請求項２３】
各画素サブセットの前記画素が実質的に同時に露出される請求項２２に記載の方法。
【請求項２４】
前記画素サブセットが所定のランダムまたは擬似ランダムの順序で露出される請求項２３に記載の方法。
【請求項２５】
獲得された低解像度画像のフレームレートと空間解像度が調節される請求項２２に記載の方法。
【請求項２６】
前記画素のフルセットが前記画素サブセットに分割される数が制御される請求項２２に記載の方法。
【請求項２７】
前記画素サブセットの露出のタイミングが制御される請求項２２に記載の方法。
【請求項２８】
拡張された動画像列を獲得するために、1回以上のデータ獲得工程が繰り返される請求項２２に記載の方法。
【請求項２９】
さらに、各画素上の電荷を電荷貯蔵デバイスに転送する工程と、その後貯蔵された電荷をデジタル化する工程とを含む請求項２２に記載の方法。
【請求項３０】
さらに、全ての前記画素からのデータを用いた高解像度の画像を作成する工程を含み、前記高解像度の画像は実質的に前記フル画素セットと同等の解像度を有する請求項２２に記載の方法。
【請求項３１】
さらに、前記高解像度の画像を表示する工程を含む請求項３０に記載の方法。
【請求項３２】
さらに、前記時間的に隔てられた一連の低解像度の画像を表示する工程を含む請求項２２に記載の方法。
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）の送信電力を制御する方法において、
経路損失測定に基づいて、オープンループアップリンク（ＵＬ）電力制御（ＰＣ）成分を決定するステップと、
補正係数を含むクローズドループＰＣ成分を決定するステップであって、前記補正係数は、ハイブリッド自動再送要求（ＨＡＲＱ）処理と関連付けられたＵＬ許可の中でシグナリングされるＰＣ補正コマンドに基づいている、決定するステップと、
変調および符号化スキーム（ＭＣＳ）に関連付けられた電力オフセットがシグナリングされる条件で、前記電力オフセットと前記オープンループＰＣ成分および前記クローズドループＰＣ成分を組み合わせて、送電電力を決定するステップと、
前記ＨＡＲＱ処理のタイミングにしたがって、前記送電電力を適用するステップと
を備えることを特徴とする方法。
【請求項２】
ＰＣ補正コマンドを受信するステップであって、前記補正係数は、前記ＰＣ補正コマンドまたは累積した補正コマンドに基づいているステップ
をさらに備えることを特徴とする請求項１に記載の方法。
【請求項３】
前記ＰＣ補正コマンドは、所定のシグナリング時間で受信されることを特徴とする請求項２に記載の方法。
【請求項４】
前記ＰＣ補正コマンドは、リンク品質に基づいて決定される複数のコマンドビットを含むことを特徴とする請求項１に記載の方法。
【請求項５】
前記オープンループＰＣ成分は、セル固有パラメータを含むことを特徴とする請求項１に記載の方法。
【請求項６】
前記セル固有パラメータは、高位レイヤから与えられることを特徴とする請求項５に記載の方法。
【請求項７】
前記オープンループＰＣ成分は、ＷＴＲＵ固有パラメータを含むことを特徴とする請求項１、５、６のいずれかに記載の方法。
【請求項８】
前記ＷＴＲＵ固有パラメータは、高位レイヤから与えられることを特徴とする請求項７に記載の方法。
【請求項９】
前記ＨＡＲＱ処理のタイミングにしたがって、前記送電電力を適用する前記ステップは、１つのＨＡＲＱサイクル時間の後に、前記送信電力を適用することを含むことを特徴とする請求項１に記載の方法。
【請求項１０】
無線送受信ユニット（ＷＴＲＵ）において、
経路損失測定に基づいてオープンループアップリンク（ＵＬ）電力制御（ＰＣ）成分を、および、補正係数を含むクローズドループＰＣ成分を決定し、前記補正係数は、ハイブリッド自動再送要求（ＨＡＲＱ）処理と関連付けられたＵＬ許可の中でシグナリングされるＰＣ補正コマンドに基づいており、
変調および符号化スキーム（ＭＣＳ）に関連付けられた電力オフセットがシグナリングされる条件で、前記電力オフセットと前記オープンループＰＣ成分および前記クローズドループＰＣ成分を組み合わせることによって、ＷＴＲＵ送電電力を決定し、
前記ＨＡＲＱ処理のタイミングにしたがって、前記送電電力を適用する
プロセッサ
を備えたことを特徴とするＷＴＲＵ。
【請求項１１】
ＰＣ補正コマンドを受信する受信機であって、前記補正係数は、前記ＰＣ補正コマンドまたは累積した補正コマンドに基づいている受信機
をさらに備えたことを特徴とする請求項１０に記載のＷＴＲＵ。
【請求項１２】
前記ＰＣ補正コマンドは、所定のシグナリング時間で受信されることを特徴とする請求項１１に記載のＷＴＲＵ。
【請求項１３】
前記ＰＣ補正コマンドは、リンク品質に基づいて決定される複数のコマンドビットを使用することを特徴とする請求項１１に記載のＷＴＲＵ。
【請求項１４】
前記プロセッサは、最強の隣接セルから決定される干渉負荷インジケータを決定することを特徴とする請求項１０に記載のＷＴＲＵ。
【請求項１５】
前記オープンループＰＣ成分は、セル固有パラメータを含むことを特徴とする請求項１０に記載のＷＴＲＵ。
【請求項１６】
前記セル固有パラメータは、高位レイヤから与えられることを特徴とする請求項１５に記載のＷＴＲＵ。
【請求項１７】
前記オープンループＰＣ成分は、ＷＴＲＵ固有パラメータを含むことを特徴とする請求項１０、１５、１６のいずれかに記載のＷＴＲＵ。
【請求項１８】
前記ＷＴＲＵ固有パラメータは、高位レイヤから与えられることを特徴とする請求項１７に記載のＷＴＲＵ。
【請求項１９】
前記ＨＡＲＱ処理のタイミングにしたがって、前記送電電力を適用することは、１つのＨＡＲＱサイクル時間の後に、前記送信電力を適用することを含むことを特徴とする請求項１０に記載のＷＴＲＵ。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
送信割り付けのスケジューリングのための方法であって、
無線送受信ユニット（ＷＴＲＵ）が制御情報を送信するステップと、
非固定的許可割り付けを受信するステップであって、
前記非固定的許可割り付けは、決定された許可限界を含み、
前記決定された許可限界は、ＭＡＣ−ｅ  パケット・データ・ユニットの予め定義された数であることと
を備えたことを特徴とする方法。
【請求項２】
前記ＭＡＣ−ｅ  パケット・データ・ユニットの予め定義された数は、同一のＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）処理における数であることを特徴とする請求項１記載の方法。
【請求項３】
前記制御情報は、スケジューリング情報を具えたことを特徴とする請求項１記載の方法。
【請求項４】
前記ＷＴＲＵにおいてバッファーされたデータ量に関する情報を含む信号を送信するステップをさらに具えたことを特徴とする請求項１記載の方法。
【請求項５】
前記信号は、定義された電力オフセットにて送信されることを特徴とする請求項４記載の方法。
【請求項６】
拡張アクセス許可チャンネル（Ｅ−ＡＧＣＨ）を受信するステップをさらに具え、
前記Ｅ−ＡＧＣＨの１つ又は複数のビットは、ＭＡＣ−ｅ  パケット・データ・ユニットの予め定義された数を示すことを特徴とする請求項１記載の方法。
【請求項７】
拡張アクセス許可チャンネル（Ｅ−ＡＧＣＨ）を受信するステップをさらに具え、
前記Ｅ−ＡＧＣＨの１つのビットは、許可割り付けが固定的又は非固定的であることを示すことを特徴とする請求項１記載の方法。
【請求項８】
無線送受信ユニット（ＷＴＲＵ）であって、
プロセッサを具え、
該プロセッサは、  
制御情報を送信し、
非固定的許可割り付けを受信するように構成され、
前記非固定的許可割り付けは、決定された許可限界を含み、
前記決定された許可限界は、ＭＡＣ−ｅ  パケット・データ・ユニットの予め定義された数であることを特徴とする無線送受信ユニット（ＷＴＲＵ）。
【請求項９】
前記ＭＡＣ−ｅ  パケット・データ・ユニットの予め定義された数は、同一のＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）処理における数であることを特徴とする請求項８記載の無線送受信ユニット（ＷＴＲＵ）。
【請求項１０】
前記制御情報は、スケジューリング情報を具えたことを特徴とする請求項８記載の無線送受信ユニット（ＷＴＲＵ）。
【請求項１１】
前記プロセッサは、前記ＷＴＲＵにおいてバッファーされたデータ量に関する情報を含む信号を送信するようにさらに構成されたことを特徴とする請求項８記載の無線送受信ユニット（ＷＴＲＵ）。
【請求項１２】
前記信号は、定義された電力オフセットにて送信されることを特徴とする請求項１１記載の無線送受信ユニット（ＷＴＲＵ）。
【請求項１３】
前記プロセッサは、拡張アクセス許可チャンネル（Ｅ−ＡＧＣＨ）をさらに受信するように構成され、
前記Ｅ−ＡＧＣＨの１つ又は複数のビットは、ＭＡＣ−ｅ  パケット・データ・ユニットの予め定義された数を示すことを特徴とする請求項８記載の無線送受信ユニット（ＷＴＲＵ）。
【請求項１４】
前記プロセッサは、拡張アクセス許可チャンネル（Ｅ−ＡＧＣＨ）をさらに受信するように構成され、
前記Ｅ−ＡＧＣＨの１つのビットは、許可割り付けが固定的又は非固定的であることを示すことを特徴とする請求項８記載の無線送受信ユニット（ＷＴＲＵ）。
【手続補正書】
【提出日】平成25年2月1日(2013.2.1)
【手続補正１】
【補正対象書類名】明細書
【補正対象項目名】００３１
【補正方法】変更
【補正の内容】
【００３１】
第２の結晶析出ユニット３は、第１の結晶析出ユニット２と隣接させて配置されている。第３の前記ユニット３は、第２の前記ユニット２と同様に構成されている。
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられた始動口と、
前記始動口への入球を契機として当否抽選を実行する当否抽選手段と、
前記遊技領域の所定位置に設けられて前記当否抽選の結果に応じて開放され、遊技球の入球が遊技者への利益付与の契機となる大入賞口と、
前記当否抽選の結果が当りとなった場合、前記大入賞口を所定時間経過までもしくは所定個数の遊技球入球まで開放可能とする単位遊技を所定の単位遊技設定回数に至るまで繰り返す特別遊技を実行する特別遊技制御手段と、
遊技の進行に応じた演出画像が表示される演出表示装置と、
前記特別遊技が実行中であることを演出的に示す複数の特別遊技演出パターンを記憶するパターン記憶手段と、
前記当否抽選の当りの種類に応じて前記複数の特別遊技演出パターンからいずれかを選択する演出決定手段と、
前記選択された特別遊技演出パターンにしたがう演出画像を前記特別遊技中に前記演出表示装置に表示させる演出表示制御手段と、
を備え、
前記特別遊技制御手段は、前記当否抽選の当りの種類に応じた異なる前記単位遊技設定回数の特別遊技として、所定の単位遊技設定回数に至るまで前記大入賞口の開動作を第１の閉期間を挟んで繰り返す通常特別遊技と、前記単位遊技を前記単位遊技設定回数における上限回数以下の予め定められた複数種類の特定設定回数のいずれかに至るまで繰り返すと共に、それぞれの前記特定設定回数に対応する単位遊技とそれに続いて実行される単位遊技との間において前記大入賞口の閉動作が行われる際には当該閉動作後の大入賞口閉期間を前記第１の閉期間より長い第２の閉期間で実行し、それ以外の前記単位遊技間の前記大入賞口の閉動作を前記第１の閉期間で実行する特殊特別遊技のいずれかを前記当否抽選の当りの種類に応じて実行し、
前記パターン記憶手段は、前記特別遊技演出パターンとして、前記単位遊技設定回数のうち前記上限回数以外の前記特定設定回数に対応する単位遊技が終了するごとに、当該単位遊技の終了後にさらに前記単位遊技が実行されるか否かを示唆する継続演出を含む継続演出パターンを含み、
前記演出表示制御手段は、前記複数種類の特定設定回数のうち最小の特定設定回数に至るまで前記単位遊技を繰り返す特殊特別遊技である最小特殊特別遊技が実行される場合、前記最小の特定設定回数に対応する単位遊技の終了後に前記継続演出を表示し、前記複数種類の特定設定回数のうち最大の特定設定回数となる前記上限回数に至るまで前記単位遊技を繰り返す特殊特別遊技である最大特殊特別遊技が実行される場合、前記上限回数に対応する単位遊技の終了後は前記継続演出を非表示とし、それ以外の前記特定設定回数に対応する単位遊技の終了後の前記第２の閉期間で実行される閉動作のたびに前記継続演出を表示し、前記最小特殊特別遊技および前記最大特殊特別遊技以外の前記特殊特別遊技が実行される場合、前記特定設定回数に対応する単位遊技のうち最後の単位遊技の終了後に前記継続演出を表示するとともに、前記最後の単位遊技以外の前記特定設定回数に対応する単位遊技の終了後の前記第２の閉期間で実行される閉動作のたびに前記継続演出を表示することを特徴とする弾球遊技機。